(57)【要約】      （修正有）【課題】物品の出し入れが容易であり、使い勝手に優れた階段状収納具を提供する。【解決手段】設置面上において水平保持される水平支持板９と、水平支持板上に、所定距離を隔てて互いに平行をなすように立設され、且つ、上縁部１０ａ、１１ａ、１２ａ、１３ａ、１４ａ、１５ａの高さ位置が階段状の高低差を形成するように配列された複数の垂直支持板１０、１１、１２、１３、１４、１５と、複数の垂直支持板が隣り合う部分において、低位側の垂直支持板の上縁部より前縁部を正面側に突出させて上縁部上に水平に載置され、且つ、後縁部を高位側の垂直支持板の正面に当接させた姿勢で固定された踏み板１６、１７、１８、１９、２０、２１と、垂直支持板の上縁部より正面側に突出する踏み板と、踏み板と上下に隣り合う下位側の踏み板、若しくは水平支持板との間に、踏み板、若しくは水平支持板及び垂直支持板と交差する姿勢で立設された垂直補強板２２、２３、２４、２５と、を備えた。【選択図】図１
0003222527.tif 000002
【実用新案登録請求の範囲】
【請求項１】
設置面上において水平保持される水平支持板と、
前記水平支持板上に、所定距離を隔てて互いに平行をなすように立設され、且つ、上縁部の高さ位置が階段状の高低差を形成するように配列された複数の垂直支持板と、
複数の前記垂直支持板が隣り合う部分において、低位側の前記垂直支持板の上縁部より前縁部を正面側に突出させて前記上縁部上に水平に載置され、且つ、後縁部を高位側の前記垂直支持板の正面に当接させた姿勢で固定された踏み板と、
前記垂直支持板の上縁部より正面側に突出する前記踏み板と、前記踏み板と上下に隣り合う下位側の前記踏み板（若しくは前記水平支持板）との間に、前記踏み板（若しくは前記水平支持板）及び前記垂直支持板と交差する姿勢で立設された垂直補強板と、を備えた階段状収納具。
【請求項２】
前記垂直補強板を、前記踏み板の幅方向の中央部並びに両側縁部に配置した請求項１記載の階段状収納具。
【請求項３】
前記水平支持板と、隣り合う前記垂直支持板と、前記踏み板とで囲まれた空間内に棚板を配置した請求項１または２記載の階段状収納具。
【請求項４】
前記空間内に、物品吊り下げ用のバー材を配置した請求項３記載の階段状収納具。
【請求項５】
前記空間の開口部に開閉扉を設けた請求項３または４記載の階段状収納具。
【請求項６】
前記空間内に、前記踏み板の幅方向に沿って出し入れ可能な引き出しを設けた請求項３記載の階段状収納具。
【請求項７】
前記踏み板上に立設された支柱により傾斜状態に保持された手摺りを備えた請求項１〜６の何れかの項に記載の階段状収納具。
【考案の詳細な説明】
【技術分野】
【０００１】
本考案は、階段機能と収納機能を兼備した階段状収納具に関する。
【背景技術】
【０００２】
階段下の空間を物品の収納スペースとして利用する考えは古くから存在し、様々なアイデアが提案されているが、本考案に関連するものとして、例えば、特許文献１に記載された「建物の収納ユニット階段」がある。
【０００３】
特許文献１の図１に記載されているように、この「建物の収納ユニット階段」は、幅Ｌが同一で高さが異なる複数の縦型収納ボックス状に縦型ユニット１０を形成し、縦型ユニット１０と同一の幅Ｌで、複数段の階段状に階段ユニット２０を形成し、高さの順に縦型ユニット１０を並置し、階段ユニット２０を、始端の縦型ユニット１０ａの側方に並置するとともに、各縦型ユニット１０ａ、１０ｂ、１０ｃ上に載置し、各ユニット１０ａ、１０ｂ、１０ｃ、２０を連結固定して設置することを特徴とするものである。
【先行技術文献】
【特許文献】
【０００４】
【特許文献１】特開２００９−２９３２００号公報
【考案の概要】
【考案が解決しようとする課題】
【０００５】
特許文献１に記載された「建物の収納ユニット階段」は、階段下の空間を様々な収納物の収納スペースとして有効利用することができる点においては優れているが、物品の出し入れができる方向（領域）が階段の一方の側面のみに片寄っているため、使い勝手が悪いという問題がある。
【０００６】
また、階段ユニットに設けられた引き出しは、前板の広さに比べ、奥行きが長いので、引き出しの奥の部分への物品の出し入れが困難であり、特に、高位に配置された階段ユニットにおいては物品出し入れの困難性が増大する。
【０００７】
そこで、本考案が解決しようとする課題は、物品の出し入れが容易であり、使い勝手に優れた階段状収納具を提供することにある。
【課題を解決するための手段】
【０００８】
本考案に係る階段状収納具は、
設置面上において水平保持される水平支持板と、
前記水平支持板上に、所定距離を隔てて互いに平行をなすように立設され、且つ、上縁部の高さ位置が階段状の高低差を形成するように配列された複数の垂直支持板と、
複数の前記垂直支持板が隣り合う部分において、低位側の前記垂直支持板の上縁部より前縁部を正面側に突出させて前記上縁部上に水平に載置され、且つ、後縁部を高位側の前記垂直支持板の正面に当接させた姿勢で固定された踏み板と、
前記垂直支持板の上縁部より正面側に突出する前記踏み板と、前記踏み板と上下に隣り合う下位側の前記踏み板（若しくは前記水平支持板）との間に、前記踏み板（若しくは前記水平支持板）及び前記垂直支持板と交差する姿勢で立設された垂直補強板と、を備えたことを特徴とする。
【０００９】
前記階段状収納具においては、前記垂直補強板を、前記踏み板の幅方向の中央部並びに両側縁部に配置することが望ましい。
【００１０】
前記階段状収納具においては、前記水平支持板と、隣り合う前記垂直支持板と、前記踏み板とで囲まれた空間内に棚板を配置することができる。
【００１１】
前記階段状収納具においては、前記空間内に、物品吊り下げ用のバー材を配置することができる。
【００１２】
前記階段状収納具においては、前記空間の開口部に開閉扉を設けることができる。
【００１３】
前記階段状収納具においては、前記空間内に、前記踏み板の幅方向に沿って出し入れ可能な引き出しを設けることができる。
【００１４】
前記階段状収納具においては、前記踏み板上に立設された支柱により傾斜状態に保持された手摺りを設けることができる。
【考案の効果】
【００１５】
本考案により、物品の出し入れが容易であり、使い勝手に優れた階段状収納具を提供することができる。
【図面の簡単な説明】
【００１６】
【図１】本考案の実施形態である階段状収納具を示す斜視図である。
【図２】図１中の矢線Ａ方向から見た階段状収納具の右側面図である。
【図３】図２中の矢線Ｂ方向から見た階段状収納具の正面図である。
【図４】図２中の矢線Ｃ方向から見た階段状収納具の背面図である。
【図５】図２中の矢線Ｄ方向から見た階段状収納具の平面図である。
【図６】図１に示す階段状収納具をロフトに設置した状態を示す一部省略右側面図である。
【図７】本考案のその他の実施形態である階段状収納具をロフトに設置した状態を示す一部省略右側面図である。
【図８】図７中の矢線Ｅ方向から見た階段状収納具の一部省略正面図である。
【図９】本考案のその他の実施形態である階段状収納具をロフトに設置した状態を示す一部省略右側面図である。
【図１０】図９中の矢線Ｆ方向から見た階段状収納具の一部省略正面図である。
【考案を実施するための形態】
【００１７】
以下、図１〜図１０に基づいて、本考案の実施形態である階段状収納具１００，２００，３００について説明する。
【００１８】
初めに、図１〜図６に基づいて、階段状収納具１００について説明する。図１〜図５に示すように、階段状収納具１００は、設置面である床面Ｆ上において基台１を介して水平保持された水平支持板９と、水平支持板９上に、所定距離を隔てて互いに平行をなすように立設された複数の垂直支持板１０，１１，１２，１３，１４，１５と、垂直支持板１０，１１，１２，１３，１４，１５の上縁部１０ａ，１１ａ，１２ａ，１３ａ，１４ａ，１５ａ上にそれぞれ水平に載置した状態で固定された踏み板１６，１７，１８，１９，２０，２１と、上下方向に隣り合う踏み板１６と水平支持板９との間に立設された垂直補強板２２，２３と、上下方向に隣り合う踏み板１６と１７との間（踏み板１７と１８の間、踏み板１８と１９の間、踏み板１９と２０の間、踏み板２０と２１の間）にそれぞれ立設された垂直補強板２４，２５と、を備えている。
【００１９】
水平支持板９上に立設された複数の垂直支持板１０，１１，１２，１３，１４，１５は、それぞれの上縁部１０ａ，１１ａ，１２ａ，１３ａ，１４ａ，１５ａの高さ位置が段階状の高低差を形成するように配列されている。
【００２０】
図２に示すように、踏み板１６は、垂直支持板１０と１１とが隣り合う部分において、低位側の垂直支持板１０の上縁部１０ａより前縁部１６ａを正面側に突出させて上縁部１０ａ上に水平に載置され、且つ、後縁部１６ｂを高位側の垂直支持板１１の正面１１ｂに当接させた姿勢で、垂直支持板１１の背面１１ｃ側から踏み板１６の後縁部１６ｂに向かって螺着されたネジＮなどによって固定されている。
【００２１】
踏み板１７は、垂直支持板１１と１２とが隣り合う部分において、低位側の垂直支持板１１の上縁部１１ａより前縁部１７ａを正面側に突出させて上縁部１１ａ上に水平に載置され、且つ、後縁部１７ｂを高位側の垂直支持板１２の正面１２ｂに当接させた姿勢で、垂直支持板１２の背面１２ｃ側から踏み板１７の後縁部１７ｂに向かって螺着されたネジＮなどによって固定されている。
【００２２】
踏み板１８は、垂直支持板１２と１３とが隣り合う部分において、低位側の垂直支持板１２の上縁部１２ａより前縁部１８ａを正面側に突出させて上縁部１２ａ上に水平に載置され、且つ、後縁部１８ｂを高位側の垂直支持板１３の正面１３ｂに当接させた姿勢で、垂直支持板１３の背面１３ｃ側から踏み板１８の後縁部１８ｂに向かって螺着されたネジＮなどによって固定されている。
【００２３】
踏み板１９は、垂直支持板１３と１４とが隣り合う部分において、低位側の垂直支持板１３の上縁部１３ａより前縁部１９ａを正面側に突出させて上縁部１３ａ上に水平に載置され、且つ、後縁部１９ｂを高位側の垂直支持板１４の正面１４ｂに当接させた姿勢で、垂直支持板１４の背面１４ｃ側から踏み板１９の後縁部１９ｂに向かって螺着されたネジＮなどによって固定されている。
【００２４】
踏み板２０は、垂直支持板１４と１５とが隣り合う部分において、低位側の垂直支持板１４の上縁部１４ａより前縁部２０ａを正面側に突出させて上縁部１４ａ上に水平に載置され、且つ、後縁部２０ｂを高位側の垂直支持板１５の正面１５ｂに当接させた姿勢で、垂直支持板１５の背面１５ｃ側から踏み板２０の後縁部２０ｂに向かって螺着されたネジＮなどによって固定されている。
【００２５】
最上段に位置する踏み板２１は、その後縁部２１ｂ側が垂直支持板１５の上縁部１５ａ上に載置され、且つ、前縁部２１ａ側を垂直支持板１５の上縁部１５ａより正面側に突出させた姿勢で水平保持され、踏み板２１の後縁部２１ｂから垂直支持板１５の上縁部１５ａに向かって螺着されたネジ（図示せず）などによって固定されている。
【００２６】
図１〜図３に示すように、上下方向に隣り合う踏み板１６の前縁部１６ａ側と水平支持板９との間に立設された複数の垂直補強板２２，２３はそれぞれの面方向が水平支持板９及び垂直支持板１０と直交している。複数の垂直補強板２２は踏み板１６の幅方向Ｗの両側縁部に配置され、垂直補強板２３は踏み板１６の幅方向Ｗの中央部に配置されている。
【００２７】
同様に、上下方向に隣り合う踏み板１７の前縁部１７ａ側と踏み板１６との間（踏み板１８の前縁部１８ａ側と踏み板１７との間、踏み板１９の前縁部１９ａ側と踏み板１８との間、踏み板２０の前縁部２０ａ側と踏み板１８との間、踏み板２１と踏み板２０の後縁部２０ｂ側との間）立設された複数の垂直補強板２４，２５は、それぞれの面方向が垂直支持板１１，１２，１３，１４，１５並びに踏み板１６，１７，１８，１９，２０，２１と直交している。
【００２８】
複数の垂直補強板２４はそれぞれ踏み板１６，１７，１８，１９，２０，２１の幅方向Ｗの両側縁部に配置され、垂直補強板２５は踏み板１６，１７，１８，１９，２０，２１の幅方向Ｗの中央部に配置されている。また、図５に示すように、踏み板１６，１７，１８，１９，２０，２１の上面の前縁部１６ａ，１７ａ，１８ａ，１９ａ，２０ａ，２１ａ寄りの部分には、それぞれ滑り止め用の複数の凹溝２が設けられている。
【００２９】
図１，図２に示すように、階段状収納具１００においては、水平支持板９と、隣り合う垂直支持板１２，１３と、踏み板１８とで囲まれた空間内、並びに、水平支持板９と、隣り合う垂直支持板１４，１５と、踏み板２０とで囲まれた空間内に、それぞれ棚板２６が配置されている。
【００３０】
また、図１，図２に示すように、階段状収納具１００においては、水平支持板９と、隣り合う垂直支持板１３，１４と、踏み板１９とで囲まれた空間内の上方部分、並びに、水平支持板９と、隣り合う垂直支持板１４，１５と、踏み板２０とで囲まれた空間内の上方部分に、それぞれ物品吊り下げ用のバー材２７が配置されている。
【００３１】
図１，図２に示すように、階段状収納具１００は、複数の踏み板１６，１７，１８，１９，２０，２１などによって形成された階段部分を備えているため、建物内において高さの異なる領域の間に配置すれば階段としての機能を発揮する。なお、階段状収納具１００は６段の階段を備えているが、段数は限定しないので、状況に応じて７段以上若しくは６段未満とすることもできる。
【００３２】
また、図１，図２に示すように、階段状収納具１００は、階段を構成する複数の踏み板１６，１７，１８，１９，２０，２１の下面側に、それぞれ階段の蹴込み部分に開口する複数の空間Ｓ１を備えているため、これらの空間Ｓ１を物品収納スペースとして使用することができる。これらの空間Ｓ１は、階段の正面部分から物品を自由に出し入れすることができ、それぞれの空間Ｓ１内に収納されている物品は階段の正面側から容易に視認することができるので、便利である。
【００３３】
さらに、図１，図２に示すように、階段状収納具１００は、垂直支持板１０，１１，１２，１３，１４，１５の間に、階段状収納具１００の左右側面部分に開口する複数の収納空間Ｓ２，Ｓ３，Ｓ４，Ｓ５，Ｓ６を備えているため、これらの空間Ｓ２，Ｓ３，Ｓ４，Ｓ５，Ｓ６を物品収納スペースとして使用することができる。
【００３４】
これらの空間Ｓ２〜Ｓ６は、階段の両側側から物品を自由に出し入れすることができ、それぞれの空間Ｓ２〜Ｓ６内に収納されている物品は階段の左右側面部分から容易に視認することができるので、便利である。また、空間Ｓ４，Ｓ６内に配置された棚板２６は物品を載置することができ、空間Ｓ５，Ｓ６内に配置されたバー材２７は衣料用ハンガー（図示せず）などを吊り下げることができる。
【００３５】
このように、階段状収納具１００は、階段としての機能を有するだけでなく、その正面部分並びに左右側面部分から物品を出し入れ可能な空間Ｓ１〜Ｓ６を備えているため、物品の出し入れが容易であり、使い勝手にも優れている。
【００３６】
次に、図６に基づいて、階段状収納具１００の使い方について説明する。図６に示すように、階段状収納具１００は、その背面部分をロフトＬの正面に当接させ、その右側面部分を壁面Ｗに当接させた状態で配置されている。壁面Ｗには、複数のブラケット３を介して手摺り４が傾斜状に取り付けられている。
【００３７】
階段状収納具１００は、ロフトＬに上ったり、ロフトＬから下りたりするときの階段として使用することができ、前述したように、空間Ｓ１（図１参照），Ｓ２〜Ｓ６は物品の収納空間として利用することができる。なお、図６は、階段状収納具１００の使い方の一例を示すものであり、階段状収納具１００の使い方はこれに限定されない。
【００３８】
次に、図７，図８に基づいて、本考案のその他の実施形態である階段状収納具２００について説明する。
【００３９】
図７，図８に示すように、階段状収納具２００は、床面Ｆ上に設置された基台１上に、収納ユニット４５と、引き出しユニット４７と、複数の階段ユニット３０１，３０２，３０３と、を配置することによって形成されている。階段状収納具２００は、その背面部分をロフトＬの正面に当接させ、その右側面部分を壁面Ｗに当接させた状態で配置されている。壁面Ｗには、複数のブラケット３を介して手摺り４が傾斜状に取り付けられている。
【００４０】
具体的には、ロフトＬの正面に収納ユニット４５及び階段ユニット３０３が上下に積み重ねて配置され、収納ユニット４５の正面に引き出しユニット４７及び階段ユニット３０２が上下に積み重ねて配置され、引き出しユニット４７の正面に階段ユニット３０１が配置されている。収納ユニット４５と、引き出しユニット４７と、複数の階段ユニット３０１，３０２，３０３とは、互いにネジ（図示せず）で連結されている。
【００４１】
階段ユニット３０１，３０２，３０３は互いに同じ構造であり、水平支持板５上に、所定距離を隔てて互いに平行をなすように立設された複数の垂直支持板３０，３１，３２と、垂直支持板３０，３１，３２の上縁部３０ａ，３１ａ，３２ａ上にそれぞれ水平に載置した状態で固定された踏み板３３，３４，３５と、上下方向に隣り合う踏み板３３と水平支持板５との間に立設された垂直補強板３６，４０と、上下方向に隣り合う踏み板３４と３３との間に立設された垂直補強板３７，４０と、上下方向に隣り合う踏み板３５と３４の間に立設された垂直補強板３８，４０と、を備えている。
【００４２】
水平支持板５上に立設された複数の垂直支持板３０，３１，３２は、それぞれの上縁部３０ａ，３１ａ，３２ａの高さ位置が段階状の高低差を形成するように配列されている。
【００４３】
前述したように、階段ユニット３０１，３０２，３０３は同じ構造であるが、最下部に配置された階段ユニット３０１を構成する垂直支持板３０，３１，３２の高さ（矢線Ｙ方向の寸法）は、基台１の高さに相当する寸法分だけ、その他の階段ユニット３０２，３０３の垂直支持板３０，３１，３２の高さより小さく設定されている。
【００４４】
引き出しユニット４７の矢線Ｘ方向の寸法は、階段ユニット３０２の矢線Ｘ方向の寸法と同じであり、引き出しユニット４７の高さ（矢線Ｙ方向の寸法）は、階段ユニット３０１の高さから踏み板３５の厚さ（矢線Ｙ方向の寸法）を引いた寸法となっている。
【００４５】
収納ユニット４５の矢線Ｘ方向の寸法は階段ユニット３０３の矢線Ｘ方向の寸法と同じであり、収納ユニット４５の高さ（矢線Ｙ方向の寸法）は階段ユニット３０２の高さから踏み板３５の厚さ（矢線Ｙ方向の寸法）を引いた寸法となっている。
【００４６】
階段状収納具２００は、ロフトＬに上ったり、ロフトＬから下りたりするときの階段として使用することができ、正面側に開口した空間Ｓ１（図８参照）並びに側面側に開口したＳ２，Ｓ３はそれぞれ物品の収納空間として利用することができる。
【００４７】
また、階段状収納具２００の収納ユニット４５は空間Ｓ８を内蔵しており、その開口部には取っ手４３の付いた開閉扉４２が設けられ、階段状収納具２００の引き出しユニット４７は、踏み板３３，３４，３５の幅方向（矢線Ｗ方向）に出し入れ可能な複数の引き出し４１を備えている。このため、空間Ｓ８並びに複数の引き出し４１の内部に様々な物品を収納することができる。
【００４８】
次に、図９，図１０に基づいて、本考案のその他の実施形態である階段状収納具３００について説明する。なお、図９，図１０に示す階段状収納具３００において、前述した階段状収納具２００と共通する部分については、図７，図８中の符号と同符号を付して説明を省略する。
【００４９】
図９，図１０に示すように、階段状収納具３００は、図７，図８に示す階段状収納具２００に、複数の支柱７を介して手摺り８を取り付けた構造を有している。複数の支柱７はそれぞれ階段ユニット３０１，３０２，３０３の踏み板３４の右寄りの部分に立設され、連結部材６及びネジＮを介して右側の垂直補強板３８に固定されている。複数の支柱７の上端部に手摺り８が傾斜状に固定されている。
【００５０】
階段状収納具３００は、ロフトＬに上ったり、ロフトＬから下りたりするときの階段として使用することができ、正面側に開口した空間Ｓ１（図１０参照）並びに側面側に開口したＳ２，Ｓ３と、収納用ユニット４５並びに引き出しユニット４７の内部は、それぞれ物品の収納空間として利用することができる。
【００５１】
また、階段状収納具３００は支柱７付きの手摺り８を備えているので、壁面Ｗに手摺りを取り付けられない場所や、壁面Ｗから離れた場所に階段状収納具３００を設置する場合などに適切に対応することができる。
【００５２】
なお、図１〜図１０に基づいて説明した階段状収納具１００，２００，３００は、本考案に係る階段状収納具を例示するものであり、本考案に係る階段状収納具は前述した階段状収納具１００，２００，３００に限定されない。
【産業上の利用可能性】
【００５３】
本考案に係る階段式収納具は、集合住宅や戸建て住宅などの各種建物内において広く利用することができる。
【符号の説明】
【００５４】
１  基台
２  凹溝
３  ブラケット
４，８  手摺り
６  連結部材
７  支柱
９  水平支持板
１０，１１，１２，１３，１４，１５，３０，３１，３２  垂直支持板
１０ａ，１１ａ，１２ａ，１３ａ，１４ａ，１５ａ，３０ａ，３１ａ，３２ａ  上縁部
１１ｂ，１２ｂ，１３ｂ，１４ｂ，１５ｂ  正面
１１ｃ，１２ｃ，１３ｃ，１４ｃ，１５ｃ  背面
１６，１７，１８，１９，２０，２１，３３，３４，３５  踏み板
１６ａ，１７ａ，１８ａ，１９ａ，２０ａ  前縁部
１６ｂ，１７ｂ，１８ｂ，１９ｂ，２０ｂ，２１ｂ  後縁部
２２，２３，２４，２５，３６，３７，３８，４０  垂直補強板
２６  棚板
２７  バー材
４１  引き出し
４２  開閉扉
４３  取っ手
４５  収納ユニット
４７  引き出しユニット
１００，２００，３００  階段状収納具
３０１，３０２，３０３  階段ユニット
Ｆ  床面
Ｌ  ロフト
Ｓ１，Ｓ２，Ｓ３，Ｓ４，Ｓ５，Ｓ６  空間
Ｗ  壁面
【図１】
0003222527.tif 000003
【図２】
0003222527.tif 000004
【図３】
0003222527.tif 000005
【図４】
0003222527.tif 000006
【図５】
0003222527.tif 000007
【図６】
0003222527.tif 000008
【図７】
0003222527.tif 000009
【図８】
0003222527.tif 000010
【図９】
0003222527.tif 000011
【図１０】
0003222527.tif 000012
【手続補正書】
【提出日】令和1年6月10日(2019.6.10)
【手続補正１】
【補正対象書類名】実用新案登録請求の範囲
【補正対象項目名】請求項１
【補正方法】変更
【補正の内容】
【請求項１】
設置面上において水平保持される水平支持板と、
前記水平支持板上に、所定距離を隔てて互いに平行をなすように立設され、且つ、上縁部の高さ位置が階段状の高低差を形成するように配列された複数の垂直支持板と、
複数の前記垂直支持板が隣り合う部分において、低位側の前記垂直支持板の上縁部より前縁部を正面側に突出させて前記上縁部上に水平に載置され、且つ、後縁部を高位側の前記垂直支持板の正面に当接させた姿勢で固定された踏み板と、
前記垂直支持板の上縁部より正面側に突出する前記踏み板と、前記踏み板と上下に隣り合う下位側の前記踏み板、若しくは前記水平支持板との間に、前記踏み板、若しくは前記水平支持板及び前記垂直支持板と交差する姿勢で立設された垂直補強板と、を備えた階段状収納具。